(57)【要約】【課題】短時間で光ディスクのメディアタイプを判別する。【解決手段】ＣＰＵ２１は、フォーカスサーチ開始位置Ｐstartが、ＤＶＤ層とＢＤ層との間になるように光ピックアップ１３を制御し、フォーカスダウンサーチ、フォーカスアップサーチを行い、それぞれ、反射信号を取得する。そして、ＣＰＵ２１は、反射信号の数、ＤＶＤレーザを用いてトラッキングした場合のトラッキングの有無に基づいて、光ディスクのメディアタイプがＣＤ，ＤＶＤ，ＢＤ，ハイブリッドディスクのいずれかであるかを判別する。【選択図】図１
2008146698.tif 000002
【特許請求の範囲】
【請求項１】
判別対象の光ディスクのメディアタイプが、照射されるレーザ光の波長に基づいて、順次、異なる深さに第１記録層、第２記録層、第３記録層の少なくとも１つが形成された光ディスクのメディアタイプのいずれであるかを判別する光ディスクのメディアタイプ判別装置において、
前記レーザ光を発する発光源と、
前記発光源が発したレーザ光を焦点に集光させる対物レンズと、
前記判別対象の光ディスクにおける第１記録層位置と第２記録層位置との間に、前記第１記録層を探索するサーチ開始位置を設定し、設定したサーチ開始位置から、前記対物レンズの焦点が前記第１記録層位置を横切って予め設定された第１の駆動限界まで移動するように前記対物レンズの位置を制御することにより、前記第１記録層を探索する第１のサーチを行う第１のサーチ部と、
前記第１の駆動限界から、第３記録層位置を越えて予め設定された第２の駆動限界まで前記焦点が移動するように、前記対物レンズの位置を制御して、前記第１記録層乃至前記第３記録層を探索する第２のサーチを行う第２のサーチ部と、
前記第１のサーチ部が前記第１のサーチを行ったときに、前記レーザ光が前記第１記録層で反射した反射光による反射信号を取得し、前記第２のサーチ部が前記第２のサーチを行ったときに、前記レーザ光が前記第１記録層乃至前記第３記録層で反射した反射光による反射信号を取得する反射信号取得部と、
前記第１のサーチ部が前記第１のサーチを行ったときに前記反射信号取得部が取得した反射信号の数を第１の信号数、前記第２のサーチ部が前記第２のサーチを行ったときに前記反射信号取得部が取得した反射信号の数を第２の信号数として、前記第１の信号数と前記第２の信号数とに基づいて、前記判別対象の光ディスクのメディアタイプを判別するメディアタイプ判別部と、を備えた、
ことを特徴とする光ディスクのメディアタイプ判別装置。
【請求項２】
前記メディアタイプ判別部は、前記第１の信号数が零であり、前記第２の信号数も零のとき、前記判別対象の光ディスクがなかったと判別する、
ことを特徴とする請求項１に記載の光ディスクのメディアタイプ判別装置。
【請求項３】
前記第１記録層、前記第２記録層、前記第３記録層は、それぞれ、第１の波長のレーザ、第２の波長のレーザ、第３の波長のレーザによって照射されたレーザ光を追従させるトラッキングが可能なトラックを有するものであり、
前記発光源に前記第２の波長のレーザを用いて、前記対物レンズの焦点が前記第２の駆動限界から前記第１の駆動限界に向けて移動するように、前記対物レンズの位置を制御することにより、前記第３記録層、前記第２記録層を探索する第３のサーチを行う第３のサーチ部と、
前記第３のサーチ部が前記第３のサーチを行ったときに、前記第３記録層又は前記第２記録層のうち、最初に検出した記録層に、前記発光源に前記第２の波長のレーザを用いて、前記光ディスクのデータが記録されたトラックに前記レーザ光を追従させるトラッキングを行うトラッキング制御部と、を備え、
前記メディアタイプ判別部は、
前記トラッキング制御部がトラッキングを行って前記トラックに前記第２の波長のレーザ光が追従してトラッキングオンしたとき、前記光ディスクのメディアタイプが前記第２記録層を有するメディアタイプであると判別し、トラッキングオンしなかったとき、前記判別対象の光ディスクのメディアタイプが前記第３記録層を有するメディアタイプであると判別する、
ことを特徴とする請求項２に記載の光ディスクのメディアタイプ判別装置。
【請求項４】
前記メディアタイプ判別部は、
前記反射信号取得部が取得した前記第１の信号数が１以上のとき、前記第１の信号数と前記第２の信号数との差を求め、求めた差が零のとき、前記判別対象の光ディスクのメディアタイプが前記第１記録層を有するメディアタイプであると判別する、
ことを特徴とする請求項１乃至３のいずれか１項に記載の光ディスクのメディアタイプ判別装置。
【請求項５】
前記メディアタイプ判別部は、
前記反射信号取得部が取得した前記第１の信号数が１以上のとき、前記第１の信号数と前記第２の信号数との差を求め、求めた差が１のとき、前記判別対象の光ディスクのメディアタイプが前記第１記録層と前記第２記録層とを有するメディアタイプ又は前記第１記録層と前記第３記録層とを有するメディアタイプであると判別する、
ことを特徴とする請求項１乃至４のいずれか１項に記載の光ディスクのメディアタイプ判別装置。
【請求項６】
前記第１記録層、前記第２記録層、前記第３記録層は、それぞれ、第１の波長のレーザ、第２の波長のレーザ、第３の波長のレーザによって照射されたレーザ光を追従させるトラッキングが可能なトラックを有するものであり、
前記発光源に前記第２の波長のレーザを用いて、前記対物レンズの焦点が前記第２の駆動限界から前記第１の駆動限界に向けて移動するように、前記対物レンズの位置を制御することにより、前記第３記録層、前記第２記録層を探索する第３のサーチを行う第３のサーチ部と、
前記第３のサーチ部が前記第３のサーチを行ったときに、前記第３記録層又は前記第２記録層のうち、最初に検出した記録層に、前記発光源に前記第２の波長のレーザを用いて、前記光ディスクのデータが記録されたトラックに前記レーザ光を追従させるトラッキングを行うトラッキング制御部と、を備え、
前記メディアタイプ判別部は、
前記トラッキング制御部がトラッキングを行ったときに前記トラックに前記第２の波長のレーザ光が追従してトラッキングオンしたとき、前記判別対象の光ディスクのメディアタイプが前記第１記録層と前記第２記録層とを有するメディアタイプであると判別し、トラッキングオンしなかったとき、前記判別対象の光ディスクのメディアタイプが前記第１記録層と前記第３記録層とを有するメディアタイプであると判別する、
ことを特徴とする請求項５に記載の光ディスクのメディアタイプ判別装置。
【請求項７】
前記メディアタイプ判別部は、
前記反射信号取得部が取得した前記第１の信号数が１以上のとき、前記第１の信号数と前記第２の信号数との差を求め、求めた差が２のとき、前記判別対象の光ディスクのメディアタイプが前記第１記録層と複層の前記第２記録層とを有するメディアタイプ又は前記第１記録層と単層の前記第２記録層と前記第３記録層とを有するメディアタイプであると判別する、
ことを特徴とする請求項１乃至６のいずれか１項に記載の光ディスクのメディアタイプ判別装置。
【請求項８】
前記第１記録層、前記第２記録層、前記第３記録層は、それぞれ、第１の波長のレーザ、第２の波長のレーザ、第３の波長のレーザによって照射されたレーザ光を追従させるトラッキングが可能なトラックを有するものであり、
前記発光源に前記第２の波長のレーザを用いて、前記対物レンズの焦点が前記第２の駆動限界から前記第１の駆動限界に向けて移動するように、前記対物レンズの位置を制御することにより、前記第３記録層、前記第２記録層を探索する第３のサーチを行う第３のサーチ部と、
前記第３のサーチ部が前記第３のサーチを行ったときに、前記第３記録層又は前記第２記録層のうち、最初に検出した記録層に、前記発光源に前記第２の波長のレーザを用いて、前記光ディスクのデータが記録されたトラックに前記レーザ光を追従させるトラッキングを行うトラッキング制御部と、を備え、
前記メディアタイプ判別部は、
前記トラッキング制御部がトラッキングを行ったときに前記トラックに前記第２の波長のレーザ光が追従してトラッキングオンしたとき、前記判別対象の光ディスクのメディアタイプが前記第１記録層と複層の前記第２記録層とを有するメディアタイプであると判別し、トラッキングオンしなかったとき、前記判別対象の光ディスクのメディアタイプが前記第１記録層と前記第２記録層と前記第３の記録層とを有するメディアタイプであると判別する、
ことを特徴とする請求項７に記載の光ディスクのメディアタイプ判別装置。
【請求項９】
前記メディアタイプ判別部は、
前記反射信号取得部が取得した前記第１の信号数が１以上のとき、前記第１の信号数と前記第２の信号数との差を求め、求めた前記差が３のとき、前記判別対象の光ディスクのメディアタイプが前記第１記録層と複層の前記第２記録層と前記第３の記録層とを有するメディアタイプであると判別する、
ことを特徴とする請求項１乃至８のいずれか１項に記載の光ディスクのメディアタイプ判別装置。
【請求項１０】
前記メディアタイプ判別部は、前記第１の信号数又は前記第２の信号数に基づいて、前記判別対象の光ディスクのメディアタイプが、前記第１記録層が単層の光ディスクのメディアタイプであるか複層の光ディスクのメディアタイプであるかを判別する、
ことを特徴とする請求項１乃至９のいずれか１項に記載の光ディスクのメディアタイプ判別装置。
【請求項１１】
判別対象の光ディスクのメディアタイプが、照射されるレーザ光の波長に基づいて、順次、異なる深さに第１記録層、第２記録層、第３記録層の少なくとも１つが形成された光ディスクのメディアタイプのいずれであるかを判別する光ディスクのメディアタイプ判別方法であって、
前記判別対象の光ディスクにおける第１記録層位置と第２記録層位置との間に、前記第１記録層を探索するサーチ開始位置を設定し、設定したサーチ開始位置から、レーザ光を集光する対物レンズの焦点が前記第１記録層位置を横切って予め設定された第１の駆動限界まで移動するように前記対物レンズの位置を制御することにより、前記第１記録層を探索する第１のサーチを行うステップと、
前記第１の駆動限界から、第３記録層位置を越えて予め設定された第２の駆動限界まで前記焦点が移動するように、前記対物レンズの位置を制御して、前記第１記録層乃至前記第３記録層を探索する第２のサーチを行うステップと、
前記第１のサーチを行ったときに、前記レーザ光が前記第１記録層で反射した反射光による反射信号を取得し、前記第２のサーチを行ったときに、前記レーザ光が前記第１記録層乃至前記第３記録層で反射した反射光による反射信号を取得するステップと、
前記第１のサーチを行ったとき、前記第２のサーチを行ったときに取得した反射信号の数をそれぞれ第１の信号数、第２の信号数として、前記第１の信号数と前記第２の信号数とに基づいて、前記判別対象の光ディスクのメディアタイプを判別するステップと、を備えた、
ことを特徴とする光ディスクのメディアタイプ判別方法。
【請求項１２】
コンピュータに、
判別対象の光ディスクのメディアタイプが、照射されるレーザ光の波長に基づいて、順次、異なる深さに第１記録層、第２記録層、第３記録層の少なくとも１つが形成された光ディスクのメディアタイプのいずれであるかを判別するものとして、
前記判別対象の光ディスクにおける第１記録層位置と第２記録層位置との間に、前記第１記録層を探索するサーチ開始位置を設定し、設定したサーチ開始位置から、光ピックアップの対物レンズの焦点が前記第１記録層位置を横切って予め設定された第１の駆動限界まで移動するように前記対物レンズの位置を制御することにより、前記第１記録層を探索する第１のサーチを行う手順、
前記第１の駆動限界から、第３記録層位置を越えて予め設定された第２の駆動限界まで前記焦点が移動するように、前記対物レンズの位置を制御して、前記第１記録層乃至前記第３記録層を探索する第２のサーチを行う手順と、
前記第１のサーチを行ったときに、前記光ピックアップのレーザ光が前記第１記録層で反射した反射光による反射信号を取得し、前記第２のサーチを行ったときに、前記レーザ光が前記第１記録層乃至前記第３記録層で反射した反射光による反射信号を取得する手順、
前記第１のサーチを行ったとき、前記第２のサーチを行ったときに取得した反射信号の数をそれぞれ第１の信号数、第２の信号数として、前記第１の信号数と前記第２の信号数とに基づいて、前記判別対象の光ディスクのメディアタイプを判別する手順、
を実行させるためのプログラム。
【発明の詳細な説明】
【技術分野】
【０００１】
本発明は、光ディスクのメディアタイプ判別装置、光ディスクのメディアタイプ判別方法及びプログラムに関するものである。
【背景技術】
【０００２】
従来の光ディスクとしては、ＣＤ（Compact Disc）、ＤＶＤ（Digital Versatile Disc）が存在している。ＣＤ、ＤＶＤでは、用いるレーザ光の波長、開口数、光ディスクのトラックピッチ等の仕様が、それぞれ、異なっているため、光ディスク再生装置は、これらの光ディスクの種別を判別しなければならない。
【０００３】
このような光ディスク再生装置として、ＤＶＤ用のＤＶＤレーザを用いてアップサーチ、ダウンサーチを行うことにより、メディアタイプを判別するようにしたものがある（例えば、特許文献１参照）。
【０００４】
また、現在、次世代ＤＶＤであるＢＤ（Blu-ray Disc）等も開発されている。このＢＤにおいて、将来、記録層であるＢＤ層の層数が８層まで形成される予定があり、また、このＢＤ層に加え、ＤＶＤ仕様の記録層であるＤＶＤ層、ＣＤ仕様の記録層であるＣＤ層を有するハイブリッドディスクも検討されている。
【０００５】
このような（ＢＤ）ハイブリッドディスクにおいては、リードイン情報がＢＤ層に記録されており、ＢＤ層以外のＤＶＤ層、ＣＤ層のデータを優先して再生する場合、現状では、必ず、このリードイン情報を読み込まなければならない。
【０００６】
光ディスク再生装置は、このリードイン情報を読み込んで、光ディスクのメディアタイプ、層数を判別し、各層毎に球面収差補正（BeamExpander  あるいは液晶素子等による調整）を行うようにしている。
【特許文献１】特開２００４−３９０９４号公報（第６−８頁、図５）
【発明の開示】
【発明が解決しようとする課題】
【０００７】
しかし、ＢＤ、ＤＶＤ、ＣＤ、ハイブリッドディスクの全てのメディアタイプを判別するためには、各メディア用のレーザ光を用いてフォーカスサーチを行わなければならない。このため、メディア判別に時間を要する。
【０００８】
また、ハイブリッドディスク再生時、ＤＶＤ層、ＣＤ層を優先して再生する場合でも、ＢＤ層のリードイン情報を読み込まなければならないため、メディア判別に時間を要する。
【０００９】
さらには、光ディスクが、多層化されたＢＤの場合、ＢＤ層のリードイン情報を読み込んだ上で、層数を判別しなければ層毎に球面収差補正を行うことができない。このため、再生までに時間を要することになる。
【００１０】
本発明は、このような従来の問題点に鑑みてなされたもので、短時間で光ディスクのメディアタイプを判別することが可能な光ディスクのメディアタイプ判別装置、光ディスクのメディアタイプ判別方法及びプログラムを提供することを目的とする。
【００１１】
また、本発明は、短時間でデータの再生が可能な光ディスクのメディアタイプ判別装置、光ディスクのメディアタイプ判別方法及びプログラムを提供することを目的とする。
【課題を解決するための手段】
【００１２】
この目的を達成するため、本発明の第１の観点に係る光ディスクのメディアタイプ判別装置は、
判別対象の光ディスクのメディアタイプが、照射されるレーザ光の波長に基づいて、順次、異なる深さに第１記録層、第２記録層、第３記録層の少なくとも１つが形成された光ディスクのメディアタイプのいずれであるかを判別する光ディスクのメディアタイプ判別装置において、
前記レーザ光を発する発光源と、
前記発光源が発したレーザ光を焦点に集光させる対物レンズと、
前記判別対象の光ディスクにおける第１記録層位置と第２記録層位置との間に、前記第１記録層を探索するサーチ開始位置を設定し、設定したサーチ開始位置から、前記対物レンズの焦点が前記第１記録層位置を横切って予め設定された第１の駆動限界まで移動するように前記対物レンズの位置を制御することにより、前記第１記録層を探索する第１のサーチを行う第１のサーチ部と、
前記第１の駆動限界から、第３記録層位置を越えて予め設定された第２の駆動限界まで前記焦点が移動するように、前記対物レンズの位置を制御して、前記第１記録層乃至前記第３記録層を探索する第２のサーチを行う第２のサーチ部と、
前記第１のサーチ部が前記第１のサーチを行ったときに、前記レーザ光が前記第１記録層で反射した反射光による反射信号を取得し、前記第２のサーチ部が前記第２のサーチを行ったときに、前記レーザ光が前記第１記録層乃至前記第３記録層で反射した反射光による反射信号を取得する反射信号取得部と、
前記第１のサーチ部が前記第１のサーチを行ったときに前記反射信号取得部が取得した反射信号の数を第１の信号数、前記第２のサーチ部が前記第２のサーチを行ったときに前記反射信号取得部が取得した反射信号の数を第２の信号数として、前記第１の信号数と前記第２の信号数とに基づいて、前記判別対象の光ディスクのメディアタイプを判別するメディアタイプ判別部と、を備えたことを特徴とする。
【００１３】
前記メディアタイプ判別部は、前記第１の信号数が零であり、前記第２の信号数も零のとき、前記判別対象の光ディスクがなかったと判別するようにしてもよい。
【００１４】
前記第１記録層、前記第２記録層、前記第３記録層は、それぞれ、第１の波長のレーザ、第２の波長のレーザ、第３の波長のレーザによって照射されたレーザ光を追従させるトラッキングが可能なトラックを有するものであり、
前記発光源に前記第２の波長のレーザを用いて、前記対物レンズの焦点が前記第２の駆動限界から前記第１の駆動限界に向けて移動するように、前記対物レンズの位置を制御することにより、前記第３記録層、前記第２記録層を探索する第３のサーチを行う第３のサーチ部と、
前記第３のサーチ部が前記第３のサーチを行ったときに、前記第３記録層又は前記第２記録層のうち、最初に検出した記録層に、前記発光源に前記第２の波長のレーザを用いて、前記光ディスクのデータが記録されたトラックに前記レーザ光を追従させるトラッキングを行うトラッキング制御部と、を備え、
前記メディアタイプ判別部は、
前記トラッキング制御部がトラッキングを行って前記トラックに前記第２の波長のレーザ光が追従してトラッキングオンしたとき、前記光ディスクのメディアタイプが前記第２記録層を有するメディアタイプであると判別し、トラッキングオンしなかったとき、前記判別対象の光ディスクのメディアタイプが前記第３記録層を有するメディアタイプであると判別するようにしてもよい。
【００１５】
前記メディアタイプ判別部は、
前記反射信号取得部が取得した前記第１の信号数が１以上のとき、前記第１の信号数と前記第２の信号数との差を求め、求めた差が零のとき、前記判別対象の光ディスクのメディアタイプが前記第１記録層を有するメディアタイプであると判別するようにしてもよい。
【００１６】
前記メディアタイプ判別部は、
前記反射信号取得部が取得した前記第１の信号数が１以上のとき、前記第１の信号数と前記第２の信号数との差を求め、求めた差が１のとき、前記判別対象の光ディスクのメディアタイプが前記第１記録層と前記第２記録層とを有するメディアタイプ又は前記第１記録層と前記第３記録層とを有するメディアタイプであると判別するようにしてもよい。
【００１７】
前記第１記録層、前記第２記録層、前記第３記録層は、それぞれ、第１の波長のレーザ、第２の波長のレーザ、第３の波長のレーザによって照射されたレーザ光を追従させるトラッキングが可能なトラックを有するものであり、
前記発光源に前記第２の波長のレーザを用いて、前記対物レンズの焦点が前記第２の駆動限界から前記第１の駆動限界に向けて移動するように、前記対物レンズの位置を制御することにより、前記第３記録層、前記第２記録層を探索する第３のサーチを行う第３のサーチ部と、
前記第３のサーチ部が前記第３のサーチを行ったときに、前記第３記録層又は前記第２記録層のうち、最初に検出した記録層に、前記発光源に前記第２の波長のレーザを用いて、前記光ディスクのデータが記録されたトラックに前記レーザ光を追従させるトラッキングを行うトラッキング制御部と、を備え、
前記メディアタイプ判別部は、
前記トラッキング制御部がトラッキングを行ったときに前記トラックに前記第２の波長のレーザ光が追従してトラッキングオンしたとき、前記判別対象の光ディスクのメディアタイプが前記第１記録層と前記第２記録層とを有するメディアタイプであると判別し、トラッキングオンしなかったとき、前記判別対象の光ディスクのメディアタイプが前記第１記録層と前記第３記録層とを有するメディアタイプであると判別するようにしてもよい。
【００１８】
前記メディアタイプ判別部は、
前記反射信号取得部が取得した前記第１の信号数が１以上のとき、前記第１の信号数と前記第２の信号数との差を求め、求めた差が２のとき、前記判別対象の光ディスクのメディアタイプが前記第１記録層と複層の前記第２記録層とを有するメディアタイプ又は前記第１記録層と単層の前記第２記録層と前記第３記録層とを有するメディアタイプであると判別するようにしてもよい。
【００１９】
前記第１記録層、前記第２記録層、前記第３記録層は、それぞれ、第１の波長のレーザ、第２の波長のレーザ、第３の波長のレーザによって照射されたレーザ光を追従させるトラッキングが可能なトラックを有するものであり、
前記発光源に前記第２の波長のレーザを用いて、前記対物レンズの焦点が前記第２の駆動限界から前記第１の駆動限界に向けて移動するように、前記対物レンズの位置を制御することにより、前記第３記録層、前記第２記録層を探索する第３のサーチを行う第３のサーチ部と、
前記第３のサーチ部が前記第３のサーチを行ったときに、前記第３記録層又は前記第２記録層のうち、最初に検出した記録層に、前記発光源に前記第２の波長のレーザを用いて、前記光ディスクのデータが記録されたトラックに前記レーザ光を追従させるトラッキングを行うトラッキング制御部と、を備え、
前記メディアタイプ判別部は、
前記トラッキング制御部がトラッキングを行ったときに前記トラックに前記第２の波長のレーザ光が追従してトラッキングオンしたとき、前記判別対象の光ディスクのメディアタイプが前記第１記録層と複層の前記第２記録層とを有するメディアタイプであると判別し、トラッキングオンしなかったとき、前記判別対象の光ディスクのメディアタイプが前記第１記録層と前記第２記録層と前記第３の記録層とを有するメディアタイプであると判別するようにしてもよい。
【００２０】
前記メディアタイプ判別部は、
前記反射信号取得部が取得した前記第１の信号数が１以上のとき、前記第１の信号数と前記第２の信号数との差を求め、求めた前記差が３のとき、前記判別対象の光ディスクのメディアタイプが前記第１記録層と複層の前記第２記録層と前記第３の記録層とを有するメディアタイプであると判別するようにしてもよい。
【００２１】
前記メディアタイプ判別部は、前記第１の信号数又は前記第２の信号数に基づいて、前記判別対象の光ディスクのメディアタイプが、前記第１記録層が単層の光ディスクのメディアタイプであるか複層の光ディスクのメディアタイプであるかを判別するようにしてもよい。
【００２２】
本発明の第２の観点に係る光ディスクのメディアタイプ判別方法は、
判別対象の光ディスクのメディアタイプが、照射されるレーザ光の波長に基づいて、順次、異なる深さに第１記録層、第２記録層、第３記録層の少なくとも１つが形成された光ディスクのメディアタイプのいずれであるかを判別する光ディスクのメディアタイプ判別方法であって、
前記判別対象の光ディスクにおける前記第１記録層位置と前記第２記録層位置との間に、前記第１記録層を探索するサーチ開始位置を設定し、設定したサーチ開始位置から、レーザ光を集光する対物レンズの焦点が前記第１記録層位置を横切って予め設定された前記第１の駆動限界まで移動するように前記対物レンズの位置を制御することにより、前記第１記録層を探索する第１のサーチを行うステップと、
前記第１の駆動限界から、第３記録層位置を越えて予め設定された前記第２の駆動限界まで前記焦点が移動するように、前記対物レンズの位置を制御して、前記第１記録層乃至前記第３記録層を探索する第２のサーチを行うステップと、
前記第１のサーチを行ったときに、前記レーザ光が前記第１記録層で反射した反射光による反射信号を取得し、前記第２のサーチを行ったときに、前記レーザ光が前記第１記録層乃至前記第３記録層で反射した反射光による反射信号を取得するステップと、
前記第１のサーチを行ったとき、前記第２のサーチを行ったときに取得した反射信号の数をそれぞれ第１の信号数、第２の信号数として、前記第１の信号数と前記第２の信号数とに基づいて、前記判別対象の光ディスクのメディアタイプを判別するステップと、を備えたことを特徴とする。
【００２３】
本発明の第３の観点に係るプログラムは、
コンピュータに、
判別対象の光ディスクのメディアタイプが、照射されるレーザ光の波長に基づいて、順次、異なる深さに第１記録層、第２記録層、第３記録層の少なくとも１つが形成された光ディスクのメディアタイプのいずれであるかを判別するものとして、
前記判別対象の光ディスクにおける第１記録層位置と第２記録層位置との間に、前記第１記録層を探索するサーチ開始位置を設定し、設定したサーチ開始位置から、光ピックアップの対物レンズの焦点が前記第１記録層位置を横切って予め設定された第１の駆動限界まで移動するように前記対物レンズの位置を制御することにより、前記第１記録層を探索する第１のサーチを行う手順、
前記第１の駆動限界から、第３記録層位置を越えて予め設定された第２の駆動限界まで前記焦点が移動するように、前記対物レンズの位置を制御して、前記第１記録層乃至前記第３記録層を探索する第２のサーチを行う手順と、
前記第１のサーチを行ったときに、前記光ピックアップのレーザ光が前記第１記録層で反射した反射光による反射信号を取得し、前記第２のサーチを行ったときに、前記レーザ光が前記第１記録層乃至前記第３記録層で反射した反射光による反射信号を取得する手順、
前記第１のサーチを行ったとき、前記第２のサーチを行ったときに取得した反射信号の数をそれぞれ第１の信号数、第２の信号数として、前記第１の信号数と前記第２の信号数とに基づいて、前記判別対象の光ディスクのメディアタイプを判別する手順、
を実行させるためのものである。
【発明の効果】
【００２４】
本発明によれば、短時間でメディアタイプを判別できる。また、短時間でデータを再生することができる。
【発明を実施するための最良の形態】
【００２５】
以下、本発明の実施の形態に係る光ディスクのメディアタイプ判別装置を図面を参照して説明する。尚、本実施形態では、光ディスク再生装置として、この光ディスクのメディアタイプ判別装置を説明する。
【００２６】
本実施形態に係る光ディスク再生装置の構成を図１に示す。
本実施形態に係る光ディスク再生装置は、スピンドルモータ１１と、ドライバ１２と、光ピックアップ１３と、電源１４と、スイッチ１５と、ＲＦ増幅器１６と、信号処理部１７と、サーボ回路１８と、ＲＡＭ１９と、ＲＯＭ２０と、ＣＰＵ２１と、を備える。
【００２７】
この光ディスク再生装置は、光ディスク１のメディアタイプを短時間で判別して、記録された情報を再生するものである。光ディスク１には、ＣＤ、ＤＶＤ、ＢＤ、ハイブリッドディスクのメディアタイプがある。これらのメディアタイプの光ディスクには、データが記録される記録層として、照射されるレーザ光の波長に基づいて異なる深さにＢＤ層、ＤＶＤ層、ＣＤ層の少なくとも１つが形成されている。
【００２８】
ＤＶＤのメディアタイプには、ＤＶＤ_ＳＬとＤＶＤ_ＤＬとがある。ＤＶＤ_ＳＬは、データが記録された記録層が１層のメディアであり、ＤＶＤ_ＤＬは、記録層が２層のメディアである。
【００２９】
また、ハイブリッドディスクは、ＢＤの記録層としてのＢＤ層とともに、ＣＤの記録層としてのＣＤ層及びＤＶＤの記録層としてのＤＶＤ層のうちの少なくとも１つの記録層を有するディスクである。
【００３０】
このようなハイブリッドディスクには、メディアタイプとして、ＢＤ／ＤＶＤ_ＳＬ，ＢＤ／ＤＶＤ_ＤＬ，ＢＤ／ＣＤ，ＢＤ／ＤＶＤ_ＳＬ／ＣＤ，ＢＤ／ＤＶＤ_ＤＬ／ＣＤ等が考えられる。さらにＢＤ層については１層〜８層までの複層構造のものが提案されているが、本実施形態では、ＢＤ層が単層であっても複層であってもＢＤ層と記す。
【００３１】
尚、ＢＤ／ＤＶＤ_ＳＬは、レーザ光が照射される側から、ＢＤ層、ＤＶＤ_ＳＬが積層されていることを示す。他のメディアタイプのハイブリッドディスクについても同様である。
【００３２】
本実施形態に係る光ディスク再生装置は、判別対象の光ディスクが、これらの光ディスクのメディアタイプのうちのいずれであるかを判別する。
【００３３】
ＣＤ、ＤＶＤ、ＢＤ、ハイブリッドディスクの径は、いずれも１２cmであり、光ディスク１の基板厚さは、１．２mmである。図２に、ＣＤ、ＤＶＤ、ＢＤの各仕様を示す。ハイブリッドディスクのＢＤ層、ＤＶＤ層、ＣＤ層は、これらの仕様に従って形成される。尚、ＤＶＤには、複数の仕様があり、波長λ、開口数ＮＡは、各仕様毎に若干異なる。
【００３４】
データを読み出すためのレーザ光の波長λは、ＣＤ、ＤＶＤ、ＢＤの順に、短くなる。トラックピッチは、レーザ光の波長λが短くなるに従って、小さくなる。
【００３５】
光ディスク１の記録層にレーザ光を集光する対物レンズの開口数ＮＡは、分解能を決定するパラメータである。分解能は、0.61×（λ／ＮＡ）によって表され、分解能が高くなるほど（レーザ光のビームスポット径が小さくなるほど）、記録密度を高めることができる。
【００３６】
分解能を表す式から分かるように、分解能を高めるためには、レーザ光の波長λが短くなるほど、大きな開口数ＮＡの対物レンズを用いる必要がある。
【００３７】
また、この開口数が大きくなるに従って、焦点距離も短くなり、形成される記録層が浅く形成される。
【００３８】
図３（ａ）は、ＣＤの断面を示す。ＣＤは、保護膜１０１ｃ、ＣＤ層１０２ｃ、保護層１０３ｃが、順次、積層されることにより形成される。レーザ光は、保護層１０３ｃ側から照射される。
【００３９】
図３（ｂ）は、ＤＶＤの断面を示す。ＤＶＤは、ダミー層１０１ｄ、ＤＶＤ層１０２ｄ、保護層１０３ｄが、順次、積層されることにより形成される。ＤＶＤは、厚さ０．６mmの２枚のディスクを貼り合わせることにより形成されるため、ＤＶＤ層１０２ｄは、光ディスク１の厚さ方向のほぼ中間に位置する。レーザ光は、保護層１０３ｄ側から照射される。
【００４０】
図３（ｃ）は、ＢＤの断面を示す。ＢＤは、基板１０１ｂ、ＢＤ層１０２ｂ、保護層１０３ｂが、順次、積層されることにより形成される。レーザ光は、保護層１０３ｂ側から照射される。ＢＤの場合、対物レンズに開口数の大きなものが用いられるため、ＢＤ層１０２ｂは、レーザ光照射側からみて、ＣＤ，ＤＶＤ，ＢＤのうちで最も浅く形成される。
【００４１】
図３（ｄ）は、ハイブリッドディスクの断面を示す。ハイブリッドディスクのＢＤ層１０２ｂ、ＤＶＤ層１０２ｄ、ＣＤ層１０２ｃは、その深さが、それぞれ、ＢＤ，ＤＶＤ，ＣＤの各記録層に対応するように形成される。
【００４２】
本実施形態に係る光ディスク再生装置は、この各記録層の深さ、トラックピッチの相違を利用して、短時間で光ディスク１のメディアタイプを判別する。
【００４３】
尚、ハイブリッドディスクの場合、ＢＤ層１０２ｂのディスク内周に、光ディスク１のメディアタイプ、層数を判別するためのリードイン（Lead-in）情報が記録されている。
【００４４】
図１に戻り、スピンドルモータ１１は、この光ディスク１を回転させるモータであり、ドライバ１２は、スピンドルモータ１１を回転駆動するものである。ドライバ１２は、ＣＰＵ２１から信号が供給され、この信号に基づいて、ＣＡＶ(Constant Angular Velocity)方式又はＣＬＶ（Constant Linear Velocity）方式でスピンドルモータ１１を回転駆動する。
【００４５】
光ピックアップ１３は、レーザ光を光ディスク１に照射して、その反射光を電気信号に変換することにより光ディスク１の記録層１０２に記録されたデータを取り出すものである。
【００４６】
光ピックアップ１３は、図４に示すように、ＣＤレーザ４１ｃと、ＤＶＤレーザ４１ｄと、ＢＤレーザ４１ｂと、コリメータレンズ４２と、ビーム成形プリズム４３と、偏光ビームスプリッタ４４と、レンズ４５と、受光素子４６と、１／４波長板４７と、対物レンズ４８、４９と、アクチュエータ５０と、エキスパンダレンズ５１と、アクチュエータ５２と、偏光ビームスプリッタ５３と、レンズ５４，５５と、受光素子５６，５７と、を備える。
【００４７】
ＣＤレーザ４１ｃ、ＤＶＤレーザ４１ｄ、ＢＤレーザ４１ｂは、レーザ光を発する発光源であり、それぞれ、波長７８０nm，６５０nm，４０５nmのレーザ光を発する。ＣＤレーザ４１ｃ、ＤＶＤレーザ４１ｄ、ＢＤレーザ４１ｂには、レーザダイオードが用いられる。
【００４８】
ＣＤレーザ４１ｃ、ＤＶＤレーザ４１ｄ、ＢＤレーザ４１ｂは、それぞれ、ＣＤ層１０２ｃ、ＤＶＤ層１０２ｄ、ＢＤ層１０２ｂからデータを読み出すときに用いられる。これらのＣＤレーザ４１ｃ、ＤＶＤレーザ４１ｄ、ＢＤレーザ４１ｂは、直線偏光のレーザ光を出射する。
【００４９】
コリメータレンズ４２は、ＣＤレーザ４１ｃ、ＤＶＤレーザ４１ｄ、ＢＤレーザ４１ｂが発したレーザ光を平行光にするレンズである。
【００５０】
ビーム成形プリズム４３はコリメータレンズ４２で平行にされた光に放射角分布補正を施して、楕円ビームから概ね円形ビームに成形するプリズムである。
【００５１】
偏光ビームスプリッタ４４は、ＣＤレーザ４１ｃ、ＤＶＤレーザ４１ｄ、ＢＤレーザ４１ｂが発したレーザ光の一部を反射して、その反射光を受光素子４６側へと導き、他方のレーザ光を透過するとともに、１／４波長板４７を透過した光を偏光ビームスプリッタ５３側へと反射するためのものである。
【００５２】
受光素子４６は、ＣＤレーザ４１ｃ、ＤＶＤレーザ４１ｄ、ＢＤレーザ４１ｂの自動出力制御に用いられるものであり、偏光ビームスプリッタ４４で反射してレンズ４５で集光された反射光を受光する。
【００５３】
１／４波長板４７は、偏光ビームスプリッタ４４を透過した直線偏光の光を円偏光の光に変換するためのものである。
【００５４】
対物レンズ４８，４９は、ＣＤレーザ４１ｃ、ＤＶＤレーザ４１ｄ、ＢＤレーザ４１ｂが発したレーザ光を焦点に集光するためのレンズである。図５に示すように、光ディスク１のディスク面に対し、対物レンズ４８，４９の位置には、焦点が光ディスク１のＣＤ層１０２ｃ、ＤＶＤ層１０２ｄ、ＢＤ層１０２ｂにそれぞれ合う範囲を含むように、駆動上限Ｐmaxと駆動下限Ｐminとが予め設定されている。
【００５５】
駆動上限Ｐmaxは、対物レンズ４８，４９が最も光ディスク１に近づく位置であり、対物レンズ４８，４９の焦点がＣＤ層１０２ｃよりも深く（ＣＤの場合の保護膜１０１ｃ側に）なるように設定される。即ち、駆動上限Ｐmaxは、サーチ時に対物レンズ４８，４９の焦点が駆動下限Ｐminから、ＣＤ層１０２ｃを越えて移動するように予め設定される。
【００５６】
駆動下限Ｐminは、対物レンズ４８，４９が最も光ディスク１から離れる位置であり、対物レンズ４８，４９の焦点がＢＤ層１０２ｂよりも浅く（ＢＤの場合の保護層１０３ｂ側に）なるように設定される。
【００５７】
即ち、駆動下限Ｐminは、サーチ時に対物レンズ４８，４９の焦点がフォーカスサーチ開始位置Ｐstartから、ＢＤ層１０２ｂを横切って移動するように予め設定される。ディスク１に対する対物レンズ４８，４９のレーザ光の光軸方向の位置（距離）は、この駆動上限Ｐmaxと駆動下限Ｐminとの範囲内で可変する。
【００５８】
アクチュエータ５０は、ＣＰＵ２１に制御され、対物レンズ４８，４９の位置を制御するためのものである。
【００５９】
エキスパンダレンズ５１は、ＣＤの保護層１０３ｃ、ＤＶＤの保護層１０３ｄ、ＢＤの保護層１０３ｂの厚さの誤差や光ディスク１の相違により生じる球面収差が補正されるように、球面収差を補正するエキスパンダ調整を行うためのレンズであり、凸レンズ５１ａと凹レンズ５１ｂとによって構成される。
【００６０】
球面収差は、ＣＤレーザ４１ｃ、ＤＶＤレーザ４１ｄ、ＢＤレーザ４１ｂからのレーザ光の光束に対して光路差を付加することにより、打ち消される。
【００６１】
凸レンズ５１ａと凹レンズ５１ｂとは、ＣＤレーザ４１ｃ、ＤＶＤレーザ４１ｄ、ＢＤレーザ４１ｂと光ディスク１との間の光路に介挿され、凹レンズ５１ｂは、ＣＤレーザ４１ｃ、ＤＶＤレーザ４１ｄ、ＢＤレーザ４１ｂ側に配置される。そして、凹レンズ５１ｂのＣＤレーザ４１ｃ、ＤＶＤレーザ４１ｄ、ＢＤレーザ４１ｂ側の面には、光路差を付加するための輪帯状の段差が形成される。
【００６２】
凸レンズ５１ａと凹レンズ５１ｂとは、レンズ筒（図示せず）によって支持される。そして、凸レンズ５１ａは、このレンズ筒に固定され、凹レンズ５１ｂは、光軸方向に移動可能なようにレンズ筒に支持される。
【００６３】
エキスパンダレンズ５１は、凸レンズ５１ａと凹レンズ５１ｂとの間隔が可変するように構成される。球面収差は、各層毎に異なっており、間隔が、各層に対応して設定されることにより、光路差の調整が可能となる。
【００６４】
アクチュエータ５２は、エキスパンダ調整として、エキスパンダレンズ５１の凸レンズ５１ａと凹レンズ５１ｂとの間隔を制御するためのものであり、ＣＰＵ２１によって制御される。
【００６５】
偏光ビームスプリッタ５３は、偏光ビームスプリッタ４４で反射した光を２つに分けるためのものである、偏光ビームスプリッタ５３は、偏光ビームスプリッタ４４で反射した光の一部を反射して、受光素子５６へと導き、他方の光を透過して受光素子５７へと導く。
【００６６】
受光素子５６は、焦点誤差を検出するためのものであり、偏光ビームスプリッタ５３で反射してレンズ５４で集光された光を受光する。焦点誤差は、レーザ光が光ディスク１面で合焦したときの合焦距離に対する誤差であり、焦点誤差の検出には、例えば、ナイフエッジ法が用いられる。受光素子５６は、焦点誤差を示すＦＥ（フォーカスエラー）信号を生成するための信号を出力する。
【００６７】
受光素子５７は、ＲＦ（Radio Frequency）信号を検出するとともにトラッキング誤差を検出するためのものであり、偏光ビームスプリッタ５３で透過してレンズ５５で集光された光を受光する。トラッキング誤差は、光ディスク１の正規のトラック位置に対し、レーザ光が照射されて光ディスク１面に形成された光スポットの位置の誤差である。尚、ＢＤ，ＤＶＤ，ＣＤのトラッキング誤差の検出方法は、それぞれ、異なっている。
【００６８】
受光素子５７は、トラッキング誤差を示すＴＥ（トラッキングエラー信号）信号を生成するための信号を出力する。
【００６９】
図１に戻り、電源１４は、光ピックアップ１３を始め、各部に電流を供給するものである。スイッチ１５は、電源１４と光ピックアップ１３との間に介挿され、ＣＰＵ２１によって制御されて、電源１４と光ピックアップ１３のＣＤレーザ４１ｃ，ＤＶＤレーザ４１ｄ，ＢＤレーザ４１ｂとの間の電流経路を接続、遮断するためのものである。
【００７０】
ＲＦ増幅器１６は、光ピックアップ１３の受光素子５６，５７からそれぞれ出力された信号をデコードすることにより、ＲＦ信号、ＦＥ信号、ＴＥ信号を生成するものである。ＲＦ増幅器１６は、生成したこれらの信号を信号処理部１７に供給し、ＦＥ信号とＴＥ信号とをサーボ回路１８に供給する。
【００７１】
信号処理部１７は、ＲＦ増幅器１６から供給された信号を取得し、ＲＦ信号をデコードすることにより、光ディスク１に記録されたデータを示す再生信号を生成するためのものである。
【００７２】
サーボ回路１８は、ＣＰＵ２１によって制御されてオンし、ＲＦ増幅器１６から供給されたＦＥ信号に基づいてフォーカスサーボを行い、ＴＥ信号に基づいてトラッキングサーボを行うものである。
【００７３】
フォーカスサーボは、光ディスク１の各記録層に焦点が合うようにフォーカス引き込みを行う制御である。サーボ回路１８は、オンすると、ＲＦ増幅器１６から供給されたＦＥ信号の信号レベルが０となるように電圧を設定し、この電圧の信号を光ピックアップ１３のアクチュエータ５０に供給する。
【００７４】
トラッキングサーボは、光スポットを光ディスク１のトラックに追従させる制御である。サーボ回路１８は、フォーカス引き込みを行うと、ＲＦ増幅器１６から供給されたＴＥ信号の電圧が０となるように電圧を設定し、この電圧の信号を、光ピックアップ１３が備えるトラッキングサーボ用のアクチュエータ（図示せず）に供給する。
【００７５】
ＲＡＭ１９は、ＣＰＵ２１が作業に必要なデータを記憶するためのメモリであり、ＲＯＭ２０は、ＣＰＵ２１が実行するプログラムのデータ等を記憶するためのメモリである。ＲＯＭ２０は、プログラムとして後述するメディアタイプ判別処理のデータ等を記憶する。
【００７６】
ＣＰＵ２１は、光ディスク再生装置全体を制御する装置である。
具体的に、ＣＰＵ２１は、サーボ回路１８をオフし、ドライバ１２に回転制御信号を供給し、スピンドルモータ１１を介して光ディスク１を回転させる。光ディスク１が回転すると、ＣＰＵ２１は、サーボ回路１８をオンする。
【００７７】
そして、ＣＰＵ２１は、ＲＯＭ２０からメディアタイプ判別処理のプログラムデータを読み出して、メディアタイプ判別処理を実行する。
【００７８】
ＣＰＵ２１は、ＢＤ層１０２ｂのリードイン情報を読み込まずにメディアタイプを判別するため、まず最初に、ＢＤ層１０２ｂを探索するフォーカスサーチ開始位置Ｐstartを設定する。
【００７９】
図５に示すように、ＣＰＵ２１は、フォーカスサーチ開始位置Ｐstartを、判別対象の光ディスク１のＤＶＤ層１０２ｄがあると想定される位置とＢＤ層１０２ｂがあると想定される位置との間に設定し、このフォーカスサーチ開始位置Ｐstartに対物レンズ４８，４９の焦点が合うように、光ピックアップ１３のアクチュエータ５０を制御する（ｔ１）。
【００８０】
ＣＰＵ２１は、このようにフォーカスサーチ開始位置Ｐstartを設定すると、対物レンズ４８，４９の焦点が、設定したフォーカスサーチ開始位置Ｐstartから、ＢＤ層１０２ｂがあると想定される位置を横切って移動するように対物レンズ４８，４９の位置を制御する。ＣＰＵ２１は、このようにして、ＢＤ層１０２ｂを探索するフォーカスダウンサーチを行う（ｔ２）。
【００８１】
ＣＰＵ２１は、フォーカスダウンサーチを行うことにより、レーザ光がＢＤ層１０２ｂで反射する反射光に基づく反射信号を取得する。
【００８２】
記録層近傍で対物レンズ４８，４９の焦点を移動させると、ＦＥ信号は、反射光によりＳ字カーブを描く。ＣＰＵ２１は、Ｓ字カーブを描いたＦＥ信号を反射信号として、この反射信号をＲＦ増幅器１６から信号処理部１７を介して取得する。
【００８３】
尚、ＣＰＵ２１は、短時間でこの反射信号を取得するため、この反射信号の取得にはＤＶＤレーザ４１ｄだけを用いる。ＤＶＤレーザ４１ｄのレーザ光によるレーザ波長及び開口数であれば、ＣＤ層１０２ｃ，ＤＶＤ層１０２ｄ，ＢＤ層１０２ｂのいずれの記録層においても、反射信号が得られる。
【００８４】
ＣＰＵ２１は、ＤＶＤレーザ４１ｄを用いる場合、電源１４とＤＶＤレーザ４１ｄとを接続するように、スイッチ１５を制御する。
【００８５】
ＣＰＵ２１は、フォーカスダウンサーチを行ったときに信号処理部１７から取得した反射信号の数n_dwnをＲＡＭ１９に記憶する。
【００８６】
対物レンズ４８，４９の焦点位置が駆動下限Ｐminに達すると、ＣＰＵ２１は、対物レンズ４８，４９の焦点が駆動下限Ｐminから駆動上限Ｐmaxまで移動するように、対物レンズ４８，４９の位置を制御する。
【００８７】
ＣＰＵ２１は、光ピックアップのアクチュエータ５０を制御することにより、対物レンズ４８，４９の位置を制御する。ＣＰＵ２１は、このようにして、ＢＤ層１０２ｂ，ＤＶＤ層１０２ｄ，ＣＤ層１０２ｃを探索するフォーカスアップサーチを行う（ｔ３）。
【００８８】
ＣＰＵ２１は、フォーカスアップサーチを行ったときに信号処理部１７から反射信号を取得し、取得した反射信号の数n_upをＲＡＭ１９に記憶する。
【００８９】
ＣＰＵ２１は、この反射信号の数n_dwn，n_upとに基づいて、光ディスク１の各記録層を判別し、光ディスク１のメディアタイプを判別する。
【００９０】
ＣＰＵ２１は、まず、反射信号の数n_dwnに基づいてＢＤ層１０２ｂの有無及びＢＤ層１０２ｂの層数を判別する。
【００９１】
n_dwn＝０の場合、これは、判別対象の光ディスク１にＢＤ層１０２ｂが存在しないことを示す。
【００９２】
さらに、反射信号の数n_upが零の場合、フォーカスダウンサーチ時、フォーカスアップサーチ時に、全く反射信号が得られないため、これは、光ディスク１が装填されていないことを示す。このため、ＣＰＵ２１は、n_dwn＝０であり、かつ、n_up＝０であると判別すると、光ディスク１が装填されていないと判定する。
【００９３】
n_dwn＝０、かつ、n_up≧１の場合、これは、ＣＤ層１０２ｃ又はＤＶＤ層１０２ｄが存在し、光ディスク１のメディアタイプがＣＤ又はＤＶＤであることを示す。
【００９４】
ＣＰＵ２１は、n_dwn＝０、かつ、n_up≧１であることを判別すると、駆動上限Ｐmaxから、ＤＶＤレーザ４１ｄを用いてフォーカスダウンサーチを行い（ｔ４）、反射信号を取得する。そして、ＣＰＵ２１は、ＤＶＤレーザ４１ｄを用いて、最初に反射信号が得られた記録層においてフォーカスオンし、トラッキングを行う。
【００９５】
ＤＶＤレーザ４１ｄを用いた場合、ＤＶＤ層１０２ｄには、トラッキングオンするものの、ＣＤ層１０２ｃには、トラックピッチの相違により、トラッキングオンしない。
【００９６】
従って、ＣＰＵ２１は、トラッキングオンしたときは、この記録層がＤＶＤ層１０２ｄであり、トラッキングオンしないときは、この記録層がＣＤ層１０２ｃであると判別する。
【００９７】
尚、ＣＰＵ２１は、この記録層がＤＶＤ層１０２ｄであると判別した場合、反射信号の数n_upに基づいて、この光ディスク１がＤＶＤ_ＳＬであるかＤＶＤ_ＤＬであるかを判別する。
【００９８】
次に、n_dwn≧１の場合、これは、ＢＤ層１０２ｂが存在することを示す。ＣＰＵ２１は、n_dwn≧１であることを判別すると、反射信号の数n_upをＲＡＭ１９から読み出して、反射信号の数n_upと数n_dwnとの差（n_up−n_dwn）を求める。この差（n_up−n_dwn）は、ＢＤ層１０２ｂの他に存在するＤＶＤ層１０２ｄ又はＣＤ層１０２ｃの数を示す。
【００９９】
n_up−n_dwn＝０の場合、これは、ＢＤ層１０２ｂの他には、記録層がないことを示す。ＣＰＵ２１は、n_up−n_dwn＝０であることを判別すると、この光ディスク１がＢＤであると判別する。
【０１００】
尚、この場合、反射信号の数n_dwn又はn_upが１の場合、ＣＰＵ２１は、この光ディスク１がＢＤ_ＳＬであり、反射信号の数n_dwnが２の場合、この光ディスク１がＢＤ_ＤＬであることを判別する。
【０１０１】
さらに、得られた反射信号の数n_dwnにより、ＢＤ層の層数を判別することができるが、本実施形態では、以降の反射信号の数n_dwnとの対比による記録層判別において、ＢＤの層数にかかわらず、ＢＤ層がある場合、n_dwn＝１、ＢＤ層がない場合、n_dwn＝０として説明する。
【０１０２】
n_up−n_dwn≧１の場合、これは、ＢＤ層１０２ｂの他に記録層が存在することを示し、n_up−n_dwn＝１の場合、これは、ＢＤ層１０２ｂの他に存在する記録層が１つであることを示す。
【０１０３】
ＣＰＵ２１は、n_up−n_dwn＝１であることを判別すると、この記録層がＤＶＤ層１０２ｄであるかＣＤ層１０２ｃであるかを判別する。このため、ＣＰＵ２１は、駆動上限Ｐmaxから、ＤＶＤレーザ４１ｄを用いてフォーカスダウンサーチを行い（ｔ４）、反射信号を取得する。
【０１０４】
そして、ＣＰＵ２１は、ＤＶＤレーザ４１ｄを用いて、最初に反射信号が得られた記録層においてフォーカスオンし、トラッキングを行う。トラッキングオンしたとき、ＣＰＵ２１は、この記録層がＤＶＤ層１０２ｄであり、光ディスク１のメディアタイプがＢＤ／ＤＶＤ_ＳＬであると判別する。トラッキングオンしないとき、ＣＰＵ２１は、この記録層がＣＤ層１０２ｃであり、光ディスク１のメディアタイプがＢＤ／ＣＤであると判別する。
【０１０５】
n_up−n_dwn＝２の場合、これは、ＣＰＵ２１は、ＢＤ層１０２ｂの他に存在する記録層が２つであることを示す。ＣＰＵ２１は、n_up−n_dwn＝２であることを判別すると、この記録層がＤＶＤ層１０２ｄであるかＣＤ層１０２ｃであるかを判別する。このため、ＣＰＵ２１は、駆動上限Ｐmaxから、ＤＶＤレーザ４１ｄを用いてフォーカスダウンサーチを行い、反射信号を取得する。
【０１０６】
そして、ＣＰＵ２１は、ＤＶＤレーザ４１ｄを用いて、最初に反射信号が得られた記録層においてフォーカスオンし、トラッキングを行う。トラッキングオンしたとき、ＣＰＵ２１は、この記録層がＤＶＤ層１０２ｄであり、光ディスク１のメディアタイプがＢＤ／ＤＶＤ_ＤＬであると判別する。また、トラッキングオンしないとき、ＣＰＵ２１は、この記録層がＣＤ層１０２ｃであり、光ディスク１のメディアタイプがＢＤ／ＤＶＤ_ＳＬ／ＣＤであると判別する。
【０１０７】
次に、n_up−n_dwn＝３の場合、これは、ＢＤ層１０２ｂの他に存在する記録層が３つであることを示す。ＣＰＵ２１は、n_up−n_dwn＝３であることを判別すると、この光ディスク１がＢＤ／ＤＶＤ_ＤＬ／ＣＤであると判別する。
【０１０８】
ＣＰＵ２１がこのように光ディスク１のメディアタイプを判別し、各記録層からのデータの再生が指示された場合、ＣＰＵ２１は、対物レンズ４８，４９の焦点位置を指示された記録層に合わせる。
【０１０９】
そして、ＣＰＵ２１は、この記録層に記録されたデータを読み出すように、光ピックアップ１３を制御する。そして、ＣＰＵ２１は、信号処理部１７から再生信号を取得し、取得した再生信号を出力する。
【０１１０】
次に本実施形態に係る光ディスク再生装置の動作を説明する。
ＣＰＵ２１は、サーボ回路１８をオフしてドライバ１２に回転制御信号を供給し、光ディスク１が回転すると、サーボ回路１８をオンする。
【０１１１】
そして、ＣＰＵ２１は、ＲＯＭ２０からメディアタイプ判別処理のプログラムデータを読み出す。そして、ＣＰＵ２１は、図６〜８に示すフローチャートに従って、メディアタイプ判別処理を実行する。
【０１１２】
ＣＰＵ２１は、フォーカスサーチ開始位置ＰstartをＤＶＤ層１０２ｄとＢＤ層１０２ｂとの間に設定する（ステップＳ１１）。
【０１１３】
ＣＰＵ２１はＤＶＤレーザ４１ｄを用いてフォーカスダウンサーチを行う（ステップＳ１２）。
【０１１４】
ＣＰＵ２１は、フォーカスダウンサーチを行ったときの反射信号をＲＦ増幅器１６から取得し、その数n_dwnをＲＡＭ１９に記憶する（ステップＳ１３）。
【０１１５】
ＣＰＵ２１は、反射信号の数n_dwnが１以上か否かを判定する（ステップＳ１４）。
【０１１６】
反射信号の数n_dwnが１未満と判定した場合（ステップＳ１４；Ｎｏ）、ＣＰＵ２１は、ＤＶＤレーザ４１ｄを用いて駆動下限Ｐminから駆動上限Ｐmaxまでフォーカスアップサーチを行う（ステップＳ１５）。
【０１１７】
ＣＰＵ２１は、フォーカスアップサーチを行ったときの反射信号を取得して、その数n_upをＲＡＭ１９に記憶する（ステップＳ１６）。
【０１１８】
ＣＰＵ２１は、取得した反射信号の数n_upが１以上か否かを判定する（ステップＳ１７）。
【０１１９】
取得した反射信号の数n_upが１以上と判定した場合（ステップＳ１７；Ｙｅｓ）、ＣＰＵ２１は、ＤＶＤレーザ４１ｄを用いて駆動上限Ｐmaxからフォーカスダウンサーチを行う（ステップＳ１８）。
【０１２０】
ＣＰＵ２１は、信号処理部１７から反射信号を取得したとき、ＤＶＤレーザ４１ｄを用いて、最初に得られた反射信号が得られた記録層にてフォーカスオンする（ステップＳ１９）。
【０１２１】
ＣＰＵ２１は、この記録層にて、ＤＶＤレーザ４１ｄを用いてトラッキングを行う（ステップＳ２０）。
ＣＰＵ２１は、トラッキングオンしたか否かを判定する（ステップＳ２１）。
【０１２２】
トラッキングオンしたと判定した場合（ステップＳ２１；Ｙｅｓ）、ＣＰＵ２１は、光ディスク１のメディアタイプがＤＶＤであると判別する（ステップＳ２２）。このように判別すると、ＣＰＵ２１は、このメディアタイプ判別処理を終了させる。
【０１２３】
一方、トラッキングオンしなかったと判定した場合（ステップＳ２１；Ｎｏ）、ＣＰＵ２１は、光ディスク１のメディアタイプがＣＤであると判別する（ステップＳ２３）。このように判別すると、ＣＰＵ２１は、このメディアタイプ判別処理を終了させる。
【０１２４】
反射信号の数n_dwnが１以上と判定した場合（ステップＳ１４；Ｙｅｓ）、ＣＰＵ２１は、ＤＶＤレーザ４１ｄを用いてフォーカスアップサーチを行う（ステップＳ２５）。
【０１２５】
ＣＰＵ２１は、フォーカスアップサーチを行ったときの反射信号を取得し、その数n_upをＲＡＭ１９に記憶する（ステップＳ２６）。
【０１２６】
ＣＰＵ２１は、反射信号の数n_upとn_dwnとの差（n_up−n_dwn）を求め、その差（n_up−n_dwn）が１以上か否かを判定する（ステップＳ２７）。
【０１２７】
差（n_up−n_dwn）が１未満と判定した場合（ステップＳ２７；Ｎｏ）、ＣＰＵ２１は、光ディスク１のメディアタイプがＢＤであると判別する（ステップＳ２８）。尚、ＣＰＵ２１は、反射信号の数n_up又はn_dwnに基づいて、光ディスク１のＢＤ層１０２ｂが１層であるか２層であるかを判別する。光ディスク１のメディアタイプがＢＤであると判別すると、ＣＰＵ２１は、このメディアタイプ判別処理を終了させる。
【０１２８】
差（n_up−n_dwn）が１以上と判定した場合（ステップＳ２７；Ｙｅｓ）、ＣＰＵ２１は、差（n_up−n_dwn）が１であるか否かを判定する（ステップＳ２９）。
【０１２９】
差（n_up−n_dwn）が１であると判定した場合（ステップＳ２９；Ｙｅｓ）、ＣＰＵ２１は、ＤＶＤレーザ４１ｄを用いて駆動上限Ｐmaxからフォーカスダウンサーチを行う（ステップＳ３０）。
【０１３０】
ＣＰＵ２１は、反射信号が得られたとき、最初に反射信号が得られた記録層にてフォーカスオンする（ステップＳ３１）。
【０１３１】
ＣＰＵ２１は、この記録層において、ＤＶＤレーザ４１ｄを用いてトラッキングを行う（ステップＳ３２）。
ＣＰＵ２１は、トラッキングオンしたか否かを判定する（ステップＳ３３）。
【０１３２】
トラッキングオンしたと判定した場合（ステップＳ３３；Ｙｅｓ）、ＣＰＵ２１は、光ディスク１のメディアタイプがＢＤ／ＤＶＤ_ＳＬであると判別する（ステップＳ３４）。このように判別すると、ＣＰＵ２１は、このメディアタイプ判別処理を終了させる。
【０１３３】
一方、トラッキングオンしないと判定した場合（ステップＳ３３；Ｎｏ）、ＣＰＵ２１は、光ディスク１のメディアタイプがＢＤ／ＣＤであると判別する（ステップＳ３５）。このように判別すると、ＣＰＵ２１は、このメディアタイプ判別処理を終了させる。
【０１３４】
差（n_up−n_dwn）が１ではないと判定した場合（ステップＳ２９；Ｎｏ）、ＣＰＵ２１は、反射信号の数n_upとn_dwnとの差（n_up−n_dwn）が２であるか否かを判定する（ステップＳ３６）。
【０１３５】
差（n_up−n_dwn）が２であると判定した場合（ステップＳ３６；Ｙｅｓ）、ＣＰＵ２１は、ＤＶＤレーザ４１ｄを用いて駆動上限Ｐmaxからフォーカスダウンサーチを行う（ステップＳ３７）。
【０１３６】
ＣＰＵ２１は、反射信号が得られたとき、最初に反射信号が得られた記録層にてフォーカスオンする（ステップＳ３８）。
【０１３７】
ＣＰＵ２１は、この記録層にて、ＤＶＤレーザ４１ｄを用いてトラッキングを行う（ステップＳ３９）。
ＣＰＵ２１は、トラッキングオンしたか否かを判定する（ステップＳ４０）。
【０１３８】
トラッキングオンしたと判定した場合（ステップＳ４０；Ｙｅｓ）、ＣＰＵ２１は、光ディスク１のメディアタイプがＢＤ／ＤＶＤ_ＤＬであると判別する（ステップＳ４１）。このように判別すると、ＣＰＵ２１は、このメディアタイプ判別処理を終了させる。
【０１３９】
一方、トラッキングオンしないと判定した場合（ステップＳ４０；Ｎｏ）、ＣＰＵ２１は、光ディスク１のメディアタイプがＢＤ／ＤＶＤ_ＳＬ／ＣＤであると判別する（ステップＳ４２）。このように判別すると、ＣＰＵ２１は、このメディアタイプ判別処理を終了させる。
【０１４０】
そして、差が２ではないと判定した場合（ステップＳ３６；Ｎｏ）、ＣＰＵ２１は、光ディスク１のメディアタイプがＢＤ／ＤＶＤ_ＤＬ／ＣＤであると判別する（ステップＳ４３）。このように判別すると、ＣＰＵ２１は、このメディアタイプ判別処理を終了させる。
【０１４１】
次に、この光ディスク再生装置のメディアタイプ判別処理を具体的に説明する。
図１０〜図１５に示すように、ＣＰＵは、フォーカスサーチ開始位置ＰstartをＢＤ層１０２ｂとＤＶＤ層１０２ｄとの間に設定する（ステップＳ１１の処理）。
【０１４２】
ＣＰＵ２１は、ＤＶＤレーザ４１ｄを用いて、フォーカスサーチ開始位置Ｐstartからフォーカスダウンサーチを行う（ステップＳ１２の処理）。
【０１４３】
図１０（ａ），（ｂ）、図１１（ａ），（ｂ）にそれぞれ示すように、光ディスク１にＢＤ層１０２ｂがない場合、あるいは、光ディスク１が装填されていない場合、ＣＰＵ２１がフォーカスダウンサーチを行うと、取得する反射信号の数n_dwnは、零になる（ステップＳ１４；Ｎｏ）。
【０１４４】
この場合、ＣＰＵ２１は、フォーカスアップサーチを行う（ステップＳ１５の処理）。
【０１４５】
フォーカスアップサーチを行ったとき、図１０（ａ）に示すように、光ディスク１がＤＶＤ_ＳＬであれば、得られる反射信号の数n_upは、１であり、図１０（ｂ）に示すように光ディスク１のメディアタイプがＤＶＤ_ＤＬであれば、得られる反射信号の数n_upは、２である。また、また、図１１（ａ）に示すように、光ディスク１のメディアタイプがＣＤであれば、得られる反射信号の数n_upは、１である。
【０１４６】
この場合、n_up≧１になるので（ステップＳ１７；Ｙｅｓ）、ＣＰＵ２１は、フォーカスダウンサーチを行う（ステップＳ１８の処理）。図１０（ａ），（ｂ）に示すように、光ディスク１のメディアタイプがＤＶＤ_ＳＬ，ＤＶＤ_ＤＬであれば、最初に反射信号が得られる層はＤＶＤ層１０２ｄである。
【０１４７】
このため、ＣＰＵ２１は、このＤＶＤ層１０２ｄにおいて、フォーカスオンし（ステップＳ１９の処理）、このＤＶＤ層１０２ｄにて、ＤＶＤレーザ４１ｄを用いてトラッキングを行う（ステップＳ２０の処理）。
【０１４８】
トラッキングを行うと、トラッキングオンするので（ステップＳ２１；Ｙｅｓ）、ＣＰＵ２１は、この光ディスク１のメディアタイプがＤＶＤであると判別する（ステップＳ２２の処理）。
【０１４９】
そして、反射信号の数n_up＝１であれば、ＣＰＵ２１は、光ディスク１のメディアタイプがＤＶＤ_ＳＬであると判別し、n_up＝２であれば、光ディスク１のメディアタイプがＤＶＤ_ＤＬであると判別する。
【０１５０】
図１１（ａ）に示すように、光ディスク１のメディアタイプがＣＤの場合、ＣＰＵ２１がフォーカスダウンサーチを行ったときに（ステップＳ１８の処理）、最初に反射信号が得られる層はＣＤ層１０２ｃである。
【０１５１】
このため、ＣＰＵ２１は、このＣＤ層１０２ｃにおいて、フォーカスオンし（ステップＳ１９の処理）、ＤＶＤレーザ４１ｄを用いてトラッキングを行う（ステップＳ２０の処理）。
【０１５２】
光ディスク１のメディアタイプがＣＤの場合、ＤＶＤレーザ４１ｄを用いてトラッキングを行っても、トラッキングオンしない（ステップＳ２１；Ｎｏ）。このため、ＣＰＵ２１は、この光ディスク１のメディアタイプがＣＤであると判別する（ステップＳ２３の処理）。
【０１５３】
また、光ディスク１が装填されていない場合、図１１（ｂ）に示すように、ＣＰＵ２１がフォーカスアップサーチを行ったときに（ステップＳ１５の処理）、得られる反射信号の数n_upは零である（ステップＳ１７；Ｎｏ）。
【０１５４】
この場合、ＣＰＵ２１は、光ディスク１が装填されていないと判別する（ステップＳ２４）。
【０１５５】
次に、図１２〜図１５に示すように、光ディスク１にＢＤ層１０２ｂがある場合、ＣＰＵ２１がＤＶＤレーザ４１ｄを用いて、フォーカスサーチ開始位置Ｐstartからフォーカスダウンサーチを行ったときに（ステップＳ１２の処理）、得られる反射信号の数n_dwnは１である（ステップＳ１４；Ｙｅｓ）。
【０１５６】
このため、ＣＰＵ２１はＤＶＤレーザ４１ｄを用いてフォーカスアップサーチを行う（ステップＳ２５の処理）。
【０１５７】
図１２（ａ），（ｂ）に示すように、光ディスク１がＢＤの場合、得られる反射信号の数n_up（ステップＳ２５の処理）と得られる反射信号の数n_dwn（ステップＳ１２の処理）とは、等しくなり、差（n_up−n_dwn）は零になる（ステップＳ２７；Ｎｏ）。
【０１５８】
このため、ＣＰＵ２１は、光ディスク１のメディアタイプがＢＤであると判別する（ステップＳ２８）。そして、図１２（ａ）に示すように、光ディスク１のメディアタイプがＢＤ_ＳＬの場合、反射信号の数n_dwnは１となり、ＣＰＵ２１は、光ディスク１のメディアタイプがＢＤ_ＳＬであると判別する。
【０１５９】
また、図１２（ｂ）に示すように、光ディスク１のメディアタイプがＢＤ_ＤＬの場合、反射信号の数n_dwnは２となり、ＣＰＵ２１は、光ディスク１のメディアタイプがＢＤ_ＤＬであると判別する。
【０１６０】
図１３〜図１５に示すように、光ディスク１がハイブリッドディスクの場合、得られる反射信号の数n_up（ステップＳ２５の処理）と反射信号の数n_dwn（ステップＳ１２の処理）との差（n_up−n_dwn）は、１以上となる（ステップＳ２７；Ｙｅｓ）。
【０１６１】
図１３（ａ）に示すように、光ディスク１のメディアタイプがＢＤ／ＤＶＤ_ＳＬの場合、図１３（ｂ）に示すように、光ディスク１のメディアタイプがＢＤ／ＣＤの場合、差（n_up−n_dwn）は、１となる（ステップＳ２９；Ｙｅｓ）。
【０１６２】
このため、ＣＰＵ２１は、ＤＶＤレーザ４１ｄを用いて、フォーカスダウンサーチを行う（ステップＳ３０の処理）。図１３（ａ）に示すように光ディスク１のメディアタイプがＢＤ／ＤＶＤ_ＳＬの場合、最初に反射信号が得られる層はＤＶＤ層１０２ｄである。
【０１６３】
このため、ＣＰＵ２１は、このＤＶＤ層１０２ｄにおいて、フォーカスオンし（ステップＳ３１の処理）、ＤＶＤレーザ４１ｄを用いてトラッキングを行う（ステップＳ３２の処理）。
【０１６４】
トラッキングを行うと、トラッキングオンするので（ステップＳ３３；Ｙｅｓ）、ＣＰＵ２１は、この光ディスク１のメディアタイプがＢＤ／ＤＶＤ_ＳＬであると判別する（ステップＳ３４の処理）。
【０１６５】
図１３（ｂ）に示すように、光ディスク１のメディアタイプがＢＤ／ＣＤの場合、最初に反射信号が得られる層はＣＤ層１０２ｃである。
【０１６６】
このため、ＣＰＵ２１は、このＣＤ層１０２ｃにおいて、フォーカスオンし（ステップＳ３１の処理）、ＤＶＤレーザ４１ｄを用いてトラッキングを行う（ステップＳ３２の処理）。
【０１６７】
ＣＤ層１０２ｃの場合、ＤＶＤレーザ４１ｄを用いてトラッキングを行っても、トラッキングオンしない（ステップＳ３３；Ｎｏ）。このため、ＣＰＵ２１は、この光ディスク１のメディアタイプがＢＤ／ＣＤであると判別する（ステップＳ３５の処理）。
【０１６８】
図１４（ａ）に示すように光ディスク１のメディアタイプがＢＤ／ＤＶＤ_ＤＬの場合、図１４（ｂ）に示すように、光ディスク１のメディアタイプがＢＤ／ＤＶＤ_ＳＬ／ＣＤの場合、差（n_up−n_dwn）は、２となる（ステップＳ３６；Ｙｅｓ）。
【０１６９】
このため、ＣＰＵ２１は、ＤＶＤレーザ４１ｄを用いて、フォーカスダウンサーチを行う（ステップＳ３７の処理）。図１４（ａ）に示すように光ディスク１のメディアタイプがＢＤ／ＤＶＤ_ＤＬの場合、最初に反射信号が得られる記録層はＤＶＤ層１０２ｄである。
【０１７０】
このため、ＣＰＵ２１は、このＤＶＤ層１０２ｄにおいて、フォーカスオンし（ステップＳ３８の処理）、ＤＶＤレーザ４１ｄを用いてトラッキングを行う（ステップＳ３９の処理）。
【０１７１】
トラッキングを行うと、トラッキングオンするので（ステップＳ４０；Ｙｅｓ）、ＣＰＵ２１は、この光ディスク１のメディアタイプがＢＤ／ＤＶＤ_ＤＬであると判別する（ステップＳ４１の処理）。
【０１７２】
図１４（ａ）に示すように光ディスク１のメディアタイプがＢＤ／ＤＶＤ_ＳＬ／ＣＤの場合、最初に反射信号が得られる層はＣＤ層１０２ｃである。
【０１７３】
このため、ＣＰＵ２１は、このＣＤ層１０２ｃにおいて、フォーカスオンし（ステップＳ３８の処理）、ＤＶＤレーザ４１ｄを用いてトラッキングを行う（ステップＳ３９の処理）。
【０１７４】
ＣＤ層１０２ｃの場合、ＤＶＤレーザ４１ｄを用いてトラッキングを行っても、トラッキングオンしない（ステップＳ４０；Ｎｏ）。このため、ＣＰＵ２１は、この光ディスク１のメディアタイプがＢＤ／ＤＶＤ_ＳＬ／ＣＤであると判別する（ステップＳ４２の処理）。
【０１７５】
図１５に示すように、光ディスク１のメディアタイプがＢＤ／ＤＶＤ_ＤＬ／ＣＤの場合、差（n_up−n_dwn）は、３となる（ステップＳ３６；Ｎｏ）。
【０１７６】
この場合、ＣＰＵ２１は、光ディスク１のメディアタイプがＢＤ／ＤＶＤ_ＤＬ／ＣＤであると判別する（ステップＳ４３）。
【０１７７】
そして、例えば、このメディアタイプがＢＤ／ＤＶＤ_ＤＬ／ＣＤである光ディスク１のＣＤ層１０２ｃから、データを読み出すように指示されると、ＣＰＵ２１は、対物レンズ４８，４９の焦点をこのＣＤ層１０２ｃに合わせる。
【０１７８】
ＣＰＵ２１は、このＣＤ層１０２ｃからデータを読み出すように光ピックアップ１３を制御し、信号処理部１７から取得した再生信号を出力する。
【０１７９】
以上説明したように、本実施形態によれば、ＣＰＵ２１は、フォーカスダウンサーチの開始位置ＰstartをＤＶＤ層１０２ｄとＢＤ層１０２ｂの中間に設定し、ＤＶＤレーザ４１ｄを用いてフォーカスダウンサーチ、フォーカスアップサーチを行う。そして、ＣＰＵ２１は、反射信号の数n_dwn，n_upに基づいて、光ディスク１のメディアタイプを判別するようにした。
【０１８０】
従って、ＤＶＤレーザ４１ｄを用いるだけで、また、フォーカスアップサーチを１回だけ、フォーカスダウンサーチを多くても２回行うだけで、ＣＤ層１０２ｃ、ＤＶＤ層１０２ｄ、ＢＤ層１０２ｂを判別できる。このため、短時間で光ディスク１のメディアタイプを判別することができる。
【０１８１】
また、ＢＤ層１０２ｂのリードイン情報を読み込まなくても光ディスク１のメディアタイプを判別することができるため、その判別に要する時間を大幅に短縮することができ、再生までに要する時間も短縮することができる。
【０１８２】
特に、ハイブリッドディスク再生時にＤＶＤ層１０２ｄ、ＣＤ層１０２ｃを優先して再生する場合、ＢＤ層１０２ｂのリードイン情報の読み込み処理が不要になるので、有効である。
【０１８３】
また、光ディスク１が多層構成のＢＤの場合、ＢＤ層１０２ｂのリードイン情報を読み込まなくても、層数を判別できるため、各記録層のデータを再生する前に、層毎に予め球面収差補正を行うこともでき、データの再生までの時間を短縮することができる。
【０１８４】
また、ハイブリッドディスクか否かの判別であれば、フォーカスダウンサーチ、フォーカスアップサーチを行ったときの反射信号の数だけで、判別可能となるので、容易にこの判別を行うことができる。
【０１８５】
尚、本発明を実施するにあたっては、種々の形態が考えられ、上記実施の形態に限られるものではない。
例えば、上記実施の形態では、反射信号の数n_upとn_dwnとの差（n_up−n_dwn）が２であると判定した場合（ステップＳ３６；Ｙｅｓ）、ＣＰＵ２１は、光ディスク１がＢＤ／ＤＶＤ_ＳＬ／ＣＤかＢＤ／ＤＶＤ_ＤＬかを判別するのにＤＶＤレーザ４１ｄを用いるようにした。
【０１８６】
しかし、ＣＰＵ２１は、ＤＶＤレーザ４１ｄの代わりにＣＤレーザを用いて光ディスク１のメディアタイプがＢＤ／ＤＶＤ_ＳＬ／ＣＤかＢＤ／ＤＶＤ_ＤＬかを判別することもできる。
【０１８７】
これは、ＣＤ以外のメディアでは、ＣＤレーザ４１ｃを用いてトラッキングオンすることができないためである。このため、フォーカスサーチ動作は、フォーカスアップサーチ、フォーカスダウンサーチのいずれでも可能となる。
【０１８８】
この場合、ＣＰＵ２１は、図１６に示すフローチャートに従って、メディアタイプ判別処理を実行する。
【０１８９】
即ち、差（n_up−n_dwn）が２であると判定した場合（ステップＳ３６；Ｙｅｓ）、ＣＰＵ２１は、ＣＤレーザを用いて駆動上限Ｐmaxからフォーカスダウンサーチを行う（ステップＳ５１）。
【０１９０】
ＣＰＵ２１は、反射信号が得られたとき、最初に反射信号が得られた記録層にてフォーカスオンする（ステップＳ５２）。
【０１９１】
ＣＰＵ２１は、この記録層にて、ＣＤレーザ４１ｃを用いてトラッキングを行う（ステップＳ５３）。
ＣＰＵ２１は、トラッキングオンしたか否かを判定する（ステップＳ５４）。
【０１９２】
トラッキングオンしたと判定した場合（ステップＳ５４；Ｙｅｓ）、ＣＰＵ２１は、光ディスク１のメディアタイプがＢＤ／ＤＶＤ_ＳＬ／ＣＤであると判別する（ステップＳ５５）。
【０１９３】
一方、トラッキングオンしないと判定した場合（ステップＳ５４；Ｎｏ）、ＣＰＵ２１は、光ディスク１のメディアタイプがＢＤ／ＤＶＤ_ＤＬであると判別する（ステップＳ５６）。
【０１９４】
このメディアタイプ判別処理の動作を具体的に説明する。
図１７（ａ）に示すように、光ディスク１のメディアタイプがＢＤ／ＤＶＤ_ＳＬ／ＣＤの場合、ＣＰＵ２１がＣＤレーザを用いて駆動上限Ｐmaxからフォーカスダウンサーチを行うと（ステップＳ５１の処理）、最初に反射信号が得られる記録層はＣＤ層１０２ｃである。
【０１９５】
このため、ＣＰＵ２１は、このＣＤ層１０２ｃにおいて、フォーカスオンし（ステップＳ５２の処理）、ＣＤレーザ４１ｃを用いてトラッキングを行う（ステップＳ５３の処理）。
【０１９６】
ＣＤ層１０２ｃの場合、ＣＤレーザ４１ｃを用いてトラッキングを行うと、トラッキングオンする（ステップＳ５４；Ｙｅｓ）。このため、ＣＰＵ２１は、この光ディスク１のメディアタイプがＢＤ／ＤＶＤ_ＳＬ／ＣＤであると判別する（ステップＳ５５の処理）。
【０１９７】
一方、図１７（ｂ）に示すように光ディスク１のメディアタイプがＢＤ／ＤＶＤ_ＤＬの場合、ＣＰＵ２１がＣＤレーザを用いて駆動上限Ｐmaxからフォーカスダウンサーチを行うと（ステップＳ５１の処理）、最初に反射信号が得られる記録層はＤＶＤ層１０２ｄである。
【０１９８】
ＤＶＤ層１０２ｄの場合、トラッキングを行うとトラッキングオンしないので（ステップＳ５４；Ｎｏ）、ＣＰＵ２１は、この光ディスク１のメディアタイプがＢＤ／ＤＶＤ_ＤＬであると判別する（ステップＳ５６の処理）。
【０１９９】
このように、光ディスク１のメディアタイプの判別に用いるレーザは単一ではないものの、ＤＶＤレーザ４１ｄの代わりにＣＤレーザを用いて光ディスク１のメディアタイプを判別することができる。
【０２００】
また、上記実施形態では、メディアタイプがＤＶＤ_ＳＬ／ＣＤ、ＤＶＤ_ＤＬ／ＣＤの判別については、特に説明はしなかったものの、このメディアタイプの判別についても、反射信号の数n_dwn，n_upとトラッキングの有無を判別することにより、判別可能となる。
【０２０１】
上記実施形態では、ＣＰＵ２１が、判別対象の光ディスクにおいて、フォーカス開始位置Ｐstartを、ＢＤ層１０２ｂとＤＶＤ層１０２ｄとの間に設定し、フォーカスダウンサーチ、フォーカスアップサーチを行うようにした。
【０２０２】
しかし、ＣＰＵ２１が、判別対象の光ディスクにおいて、フォーカス開始位置Ｐstartを、ＤＶＤ層１０２ｄとＣＤ層１０２ｃとの間に設定し、フォーカスアップサーチ、フォーカスダウンサーチを行うようにして、反射信号を取得することにより、光ディスクのメディアタイプを判別することもできる。
【０２０３】
また、上記実施形態では、プログラムが、それぞれメモリ等に予め記憶されているものとして説明した。しかし、光ディスク再生装置を、装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital Versatile Disc）、ＭＯ（Magneto Optical disc）などのコンピュータ読み取り可能な記録媒体に格納して配布し、これを別のコンピュータにインストールし、上述の手段として動作させ、あるいは、上述の工程を実行させてもよい。
【０２０４】
さらに、インターネット上のサーバ装置が有するディスク装置等にプログラムを格納しておき、例えば、搬送波に重畳させて、コンピュータにダウンロード等するものとしてもよい。
【図面の簡単な説明】
【０２０５】
【図１】本発明の実施形態に係る光ディスク再生装置の構成を示すブロック図である。
【図２】ＣＤ系、ＤＶＤ系、ＢＤ系の光ディスクの仕様を示す図である。
【図３】各光ディスクの断面図であり、（ａ）は、ＣＤの断面を示し、（ｂ）は、ＤＶＤの断面を示し、（ｃ）は、ＢＤの断面を示し、（ｄ）は、ハイブリッドディスクの断面を示す。
【図４】図１に示す光ピックアップの構成を示す図である。
【図５】図１に示すＣＰＵの処理を示す図である。
【図６】図１に示すＣＰＵが実行するメディアタイプ判別処理（その１）を示すフローチャート（１）である。
【図７】図１に示すＣＰＵが実行するメディアタイプ判別処理（その２）を示すフローチャート（２）である。
【図８】図１に示すＣＰＵが実行するメディアタイプ判別処理（その３）を示すフローチャート（３）である。
【図９】図１に示すＣＰＵが実行するメディアタイプ判別処理（その４）を示すフローチャート（４）である。
【図１０】光ディスク再生装置の具体的なメディアタイプ判別処理を示す図であり、（ａ）は、光ディスクのメディアタイプがＤＶＤ_ＳＬの場合の処理を示し、（ｂ）は、光ディスクのメディアタイプがＤＶＤ_ＤＬの場合の処理を示す。
【図１１】光ディスク再生装置の具体的なメディアタイプ判別処理を示す図であり、（ａ）は、光ディスクのメディアタイプがＣＤの場合の処理を示し、（ｂ）は、光ディスクが装填されていない場合の処理を示す。
【図１２】光ディスク再生装置の具体的なメディアタイプ判別処理を示す図であり、（ａ）は、光ディスクのメディアタイプがＢＤ_ＳＬの場合の処理を示し、（ｂ）は、光ディスクのメディアタイプがＢＤ_ＤＬの場合の処理を示す。
【図１３】光ディスク再生装置の具体的なメディアタイプ判別処理を示す図であり、（ａ）は、光ディスクのメディアタイプがＢＤ／ＤＶＤ_ＳＬの場合の処理を示し、（ｂ）は、光ディスクのメディアタイプがＢＤ／ＣＤの場合の処理を示す。
【図１４】光ディスク再生装置の具体的なメディアタイプ判別処理を示す図であり、（ａ）は、光ディスクのメディアタイプがＢＤ／ＤＶＤ_ＤＬの場合の処理を示し、（ｂ）は、光ディスクのメディアタイプがＢＤ／ＤＶＤ_ＳＬ／ＣＤの場合の処理を示す。
【図１５】光ディスク再生装置の具体的なメディアタイプ判別処理として、光ディスクのメディアタイプがＢＤ／ＤＶＤ_ＤＬ／ＣＤの場合の処理を示す。
【図１６】メディアタイプ判別処理の応用例として、ＤＶＤレーザの代わりにＣＤレーザを用いて光ディスクのメディアタイプを判別する処理を示すフローチャートである。
【図１７】図１６に示すメディアタイプ判別処理の具体的な動作を示す図であり、（ａ）は、光ディスクのメディアタイプがＢＤ／ＤＶＤ_ＳＬ／ＣＤの場合の処理を示し、（ｂ）は、光ディスクのメディアタイプがＢＤ／ＤＶＤ_ＤＬの場合の処理を示す。
【符号の説明】
【０２０６】
１  光ディスク
１３  光ピックアップ
１６  ＲＦ増幅器
１７  信号処理部
１８  サーボ回路
２１  ＣＰＵ
４１ｂ  ＢＤレーザ
４１ｃ  ＣＤレーザ
４１ｄ  ＤＶＤレーザ
４８，４９  対物レンズ
５０，５２  アクチュエータ
【図１】
2008146698.tif 000003
【図２】
2008146698.tif 000004
【図３】
2008146698.tif 000005
【図４】
2008146698.tif 000006
【図５】
2008146698.tif 000007
【図６】
2008146698.tif 000008
【図７】
2008146698.tif 000009
【図８】
2008146698.tif 000010
【図９】
2008146698.tif 000011
【図１０】
2008146698.tif 000012
【図１１】
2008146698.tif 000013
【図１２】
2008146698.tif 000014
【図１３】
2008146698.tif 000015
【図１４】
2008146698.tif 000016
【図１５】
2008146698.tif 000017
【図１６】
2008146698.tif 000018
【図１７】
2008146698.tif 000019